(57)【特許請求の範囲】
【請求項１】
容積を収縮させることができる容積収縮構造を備えたボトル本体と、このボトル本体の開口部を封止することができるキャップと、前記ボトル本体に設けられていて、容積が収縮したボトル本体を容積収縮状態に維持する収縮状態維持手段と、を備え、
前記容積収縮構造はボトル本体に形成した螺旋状の凹凸で構成し、前記収縮状態維持手段は、ボトル本体の胴部に設けられていて、前記螺旋状の凹凸に沿って絞られることで細くなった胴部を締め付けて維持する締め付け手段で構成したことを特徴とする飲料用ボトル。
【発明の詳細な説明】
【技術分野】
【０００１】
本発明は、飲料用ボトルに関する。より詳しくは、飲み残し炭酸飲料の気が抜けるのを防止することができる飲料用ボトル、例えば合成樹脂製ボトル（主としてペットボトル）に関するものである。
【背景技術】
【０００２】
従来、飲み残し炭酸飲料の気抜け防止を図った飲料用ボトルとして、例えば特許文献１に見られるように、胴部を蛇腹部（３）とし、飲み残しがある場合には、その量に応じて蛇腹部（３）を縮め、その状態でキャップ（１）をするようにしたペットボトルが知られている。
このペットボトルによると、一見、気抜けを防止することができるような勘違いが生じる。実際、同文献には、気抜けを防止することができる旨の記載がある。【０００３】
しかしながら、同文献のペットボトルでは、飲み残しの気抜けを防止することはできない。
飲み残し量に応じて蛇腹部を（３）を縮めた状態でキャップ（１）をしただけでは、飲料から炭酸ガスが自由に放出し、その炭酸ガスによって、ボトルは元の状態（蛇腹（３）が伸びた状態）に戻ってしまうからである。【０００４】
また、従来、例えば特許文献２に見られるように、蝶番（１）で連結された二枚の夾み板（２）と、夾み板（２）の一方に固着した締め付けベルト３ と、他方夾み板先端部に設けた締め付けベルト（３）を通すスリット状通し穴（４）とによって構成したペットボトル入り炭酸飲料の炭酸ガス発散防止具が知られている。
この炭酸ガス発散防止具によれば、飲み残し量に応じてペットボトルを潰した状態に維持できるから、気抜けを防止することができる。【０００５】
しかし、この炭酸ガス発散防止具を自宅外でも利用しようとすると、これを携帯しなければならないので、不便である。
【先行技術文献】
【特許文献】
【０００６】
【特許文献１】特開２０００−１５３８２１号公報
【特許文献２】特開２００４−８３１１９号公報
【発明の概要】
【発明が解決しようとする課題】
【０００７】
本発明が解決しようとする課題は、飲み残し炭酸飲料の気が抜けるのを防止することができる飲料用ボトルを提供することである。
【課題を解決するための手段】
【０００８】
上記課題を解決するために本発明の飲料用ボトルは、
容積を収縮させることができる容積収縮構造を備えたボトル本体と、このボトル本体の開口部を封止することができるキャップと、前記ボトル本体に設けられていて、容積が収縮したボトル本体を容積収縮状態に維持する収縮状態維持手段と、を備え、
前記容積収縮構造はボトル本体に形成した螺旋状の凹凸で構成し、前記収縮状態維持手段は、ボトル本体の胴部に設けられていて、前記螺旋状の凹凸に沿って絞られることで細くなった胴部を締め付けて維持する締め付け手段で構成したことを特徴とする。
この飲料用ボトルは、飲料に飲み残しが生じた場合には、その飲み残し量に応じてボトル本体を容積収縮構造にて収縮させ、開口部をキャップで封止し、収縮状態となったボトル本体を、該ボトル本体に設けられている収縮状態維持手段にて収縮状態に維持することができる。
したがって、飲み残し飲料が炭酸飲料である場合、気抜けを防止することができる。
また、飲み残し飲料の空気との接触量を低減できるので、味の劣化も防止することができる。
しかも、ボトル本体自体が収縮状態維持手段を備えているので、上記特許文献２の場合のように、別途特別の器具を用意する必要も携帯する必要もない。
【０００９】
さらに、前記容積収縮構造はボトル本体に形成した螺旋状の凹凸で構成し、前記収縮状態維持手段は、ボトル本体の胴部に設けられていて、前記螺旋状の凹凸に沿って絞られることで細くなった胴部を締め付けて維持する締め付け手段で構成したので、ボトル本体を絞り動作で容易に収縮させることができるとともに、簡単な締付構造でボトル本体を収縮状態に維持することができる。
【図面の簡単な説明】
【００１２】
【図１】本発明に係る飲料用ボトルの一実施の形態を示す図で、（ａ）は正面図、（ｂ）は平面図、（ｃ）は作用説明側面図。
【図２】他の実施の形態を示す図で、（ａ）は正面図、（ｂ）は平面図、（ｃ）は作用説明側面図。
【図３】他の実施の形態を示す図で、（ａ）は正面図、（ｂ）は平面図、（ｃ）（ｄ）はそれぞれ作用説明側面図。
【図４】他の実施の形態を示す図で、（ａ）は正面図、（ｂ）は平面図、（ｃ）は作用説明側面図。
【発明を実施するための形態】
【００１３】
以下、本発明に係る飲料用ボトルの実施の形態について図面を参照して説明する。なお、各図において、同一部分ないし相当する部分には、同一の符号を付してある。
【００１４】
図１に示す飲料用ボトル１は、容積を収縮させることができる容積収縮構造１２を備えたボトル本体１０と、このボトル本体１０の開口部１１を封止することができるキャップ２０と、ボトル本体１０に設けられていて、容積が収縮したボトル本体１０を容積収縮状態に維持する収縮状態維持手段３０とを備えている。
【００１５】
この飲料用ボトル１は、飲料に飲み残しが生じた場合には、図１（ｃ）に示すように、その飲み残し量に応じてボトル本体１０を容積収縮構造１２にて収縮させ、開口部１１をキャップ２０で封止し、収縮状態となったボトル本体１０を、該ボトル本体１０に設けられている収縮状態維持手段３０にて収縮状態に維持することができる。
【００１６】
したがって、飲み残し飲料が炭酸飲料である場合、気抜けを防止することができる。
また、ボトル内に残留している空気量を減らして、飲み残し飲料の空気との接触量を低減できるので、味の劣化も防止することができる。
しかも、ボトル本体１０自体が収縮状態維持手段３０を備えているので、上記特許文献２の場合のように、別途特別の器具を用意する必要も携帯する必要もない。
【００１７】
図１に示す飲料用ボトル１においては、容積収縮構造１２はボトル本体１０に形成した螺旋状の凹凸１４で構成されている。収縮状態維持手段３０は、ボトル本体１０の胴部１３に設けられていて、螺旋状の凹凸１４に沿って絞られることで細くなった胴部１３を締め付けて維持する締め付け手段３１で構成されている。
【００１８】
このように構成すると、ボトル本体１０を、その上下１０ｕ、１０ｄを手で持って、絞り動作で図１（ｃ）に示すように容易に収縮させることができるとともに、簡単な締付構造でボトル本体１０を収縮状態に維持することができる。
【００１９】
ボトル本体１０は合成樹脂（例えばＰＥＴ）で構成することができる。
容積収縮構造（図１のものは螺旋状の凹凸）１２は、ボトル本体１０の成形時に同時に成形することができる。
締め付け手段３１は、タイラップ３２を、ベルト部３２ｂにおける、ヘッド部３２ｈ近くの部位３２ｂ１（図１（ｂ））をボトル本体１０に接着、溶着等により固着することで構成することができる。
ボトル本体１０を絞ってキャップ２０で封をした後、公知のタイラップ同様、ベルト部３２ｂをヘッド部３２ｈに通した状態で絞ることによって、図１（ｃ）に示すようにボトル本体１０を収縮状態に維持することができる。
【００２０】
図２に示すように、締め付け手段３１は、公知の面ファスナーを有するベルト３３の一部３３ｂ（図２（ｂ））をボトル本体１０に接着、溶着等により固着することで構成することもできる。
この場合も、ボトル本体１０を絞ってキャップ２０で封をした後、公知の面ファスナー付きベルト同様、ベルト３３をボトル本体１０に巻き回して絞り、面ファスナーを結合させることによって、図２（ｃ）に示すようにボトル本体１０を収縮状態に維持することができる。
【００２１】
図３に示すように、容積収縮構造１２はボトル本体１０の少なくとも胴部１３を蛇腹状とすることで構成し、収縮状態維持手段３０は、蛇腹状部分１５における山部１５ｔ同士に設けられていて互いに係合可能な複数のフック部１６、１７で構成することができる。
このように構成すると、図３（ｃ）または（ｄ）に示すように、残量に応じてボルト本体１０を蛇腹１５に沿って縮めるだけで、ボトル本体１０が収縮すると同時にフック部１６，１７同士が係合してボトル本体１０が収縮状態に維持されるので、別途、収縮状態維持のための操作が不要となる。
ボトル本体１０を図３（ｃ）または（ｄ）に示すように縮める過程で、フック部１６，１７は、それぞれの弾性およびボトル本体１０の弾性により、フック部先端同士を乗り越え合うようにして係合する。
【００２２】
下向きのフック１６，上向きのフック１７はそれぞれ複数設ける。そのように構成すると、ボトル本体１０の収縮状態に応じた適所のフック１６，１７同士が係合することとなる。
図３（ｃ）は比較的残量が多い場合の例を示しており、上の３つのフック部１６，１７が係合している状態を示している。
図３（ｄ）は比較的残量が少ない場合の例を示しており、すべてのフック部１６，１７が係合している状態を示している。
蛇腹のピッチおよびフック部１６，１７の個数は適宜設定することができる。
フック１６，１７はボトル本体１０の軸線周りに関し複数箇所（少なくとも２箇所（例えば図３の紙面表側と裏側）に設ける。１２０度ピッチで３箇所に、９０度ピッチで４箇所に設けることもできる。
フック１６，１７はボトル本体１０と一体に形成することができる。
【００２３】
図４に示すように、容積収縮構造１２はボトル本体１０に形成した螺旋状の凹凸１４で構成し、収縮状態維持手段３０は、図４（ｃ）で示すようにボトル本体１０を螺旋状の凹凸１４に沿って絞った際に互いに係合するフック部１８，１９で構成することができる。
このように構成すると、図４（ｂ）に示すように、ボルト本体１０を螺旋状の凹凸１４に沿って絞るだけで、ボトル本体１０が収縮すると同時にフック部１８，１９同士が係合してボトル本体１０が収縮状態に維持されるので、別途、収縮状態維持のための操作が不要となる。
ボトル本体１０を図４（ｂ）に示すように縮める過程で、フック１８，１９は、それぞれの弾性およびボトル本体１０の弾性により、フック部先端同士を乗り越え合うようにして係合する。
【００２４】
下向きのフック１８，上向きのフック１９はそれぞれボトル本体１０の軸線周りに関し複数箇所に設ける。図示のものは、９０度ピッチで４箇所に設けてある。
フック１８，１９はボトル本体１０と一体に形成することができる。
【００２５】
以上、本発明の実施の形態について説明したが、本発明は上記の実施の形態に限定されるものではなく、本発明の要旨の範囲内において適宜変形実施可能である。
【符号の説明】
【００２６】
１：    飲料用ボトル
１０：    ボトル本体
１１：    開口部
１２：    容積収縮構造
１３：    胴部
１４：    螺旋状の凹凸
１５：    蛇腹状部分
１５ｔ：  山部
１６，１７，１８，１９：    フック部
２０：    キャップ
３０：    収縮状態維持手段
３１：    締め付け手段
【要約】
飲み残し炭酸飲料の気が抜けるのを防止することができる飲料用ボトルを提供する。
容積を収縮させることができる容積収縮構造１２を備えたボトル本体１０と、ボトル本体１０の開口部１１を封止することができるキャップ２０と、ボトル本体１０に設けられていて、容積が収縮したボトル本体１０を容積収縮状態に維持する収縮状態維持手段３０とを備えている。容積収縮構造１２はボトル本体１０に形成した螺旋状の凹凸１４で構成し、収縮状態維持手段３０は、ボトル本体１０の胴部１３に設けられていて、螺旋状の凹凸１４に沿って絞られることで細くなった胴部１３を締め付けて維持する締め付け手段３１で構成することができる。【図１】
0005893229.tif 000002
【図２】
0005893229.tif 000003
【図３】
0005893229.tif 000004
【図４】
0005893229.tif 000005